(57)【特許請求の範囲】
【請求項１】
炉内の冷鉄源に向けて、酸素を含む支燃性流体と燃料流体とを噴出させる酸素バーナ・ランスを備える溶解・精錬炉であって、
炉壁を貫通するように設けられた貫通孔と、
前記貫通孔に設けられた１以上の酸素バーナ・ランスと、
前記炉内の温度を測定する温度計と、
前記貫通孔よりも上方の前記炉壁を貫通するように設けられ、前記炉内に二次燃焼用の酸素を含む支燃性流体を供給するための１以上の支燃性流体供給孔と、
前記貫通孔よりも下方の前記炉壁を貫通するように設けられ、前記炉内に炭素源を供給するための１以上の炭素源供給孔と、
前記温度計と電気的に接続され、前記酸素バーナ・ランスへの支燃性流体及び燃料流体の供給量を制御する制御ユニットと、を備え、
前記酸素バーナ・ランスが、炉内に連通する開口を有する、支燃性流体又は燃料流体の供給管を１以上有し、
前記供給管のいずれか一つに、前記温度計が設けられた、溶解・精錬炉。
【請求項２】
前記酸素バーナ・ランスが、前記供給管の基端側に測定視野を確保するための隔壁を有しており、
前記温度計が、前記隔壁を挟んで前記開口と反対側に設けられている、請求項１に記載の溶解・製錬炉。
【請求項３】
前記炉内から排ガスを排出するために設けられた排ガス排出経路と、
前記排ガス排出経路に設けられ、前記排ガス中に含まれる成分の濃度及び前記排ガスの流量のいずれか一方又は両方を測定する排ガス分析装置と、を備える、請求項１又は２に記載の溶解・精錬炉。
【請求項４】
前記温度計から炉内温度の測定値と、前記排ガス分析装置から成分濃度及び流量の測定値とを受信し、これらを解析して、前記炉内に供給する支燃性流体、燃料流体及び炭素源の供給量を制御する制御信号を発信する制御装置を備える、請求項３に記載の溶解・精錬炉。
【請求項５】
酸素バーナ・ランスを用いて、酸素を含む支燃性流体と燃料流体とを炉内の冷鉄源に向けて噴出させ、前記冷鉄源を溶解・精錬する炉の操業方法であって、
酸素バーナ・ランスを介して炉内温度を測定するとともに、
前記炉内温度の測定値に基づいて、前記炉内に供給する支燃性流体及び燃料流体の供給量を制御し、前記酸素バーナ・ランスの燃焼を開始又は停止する、溶解・精錬炉の操業方法。
【請求項６】
酸素バーナ・ランスを用いて、酸素を含む支燃性流体と燃料流体とを炉内の冷鉄源に向けて噴出させ、前記冷鉄源を溶解・精錬する炉の操業方法であって、
酸素バーナ・ランスを介して炉内温度を測定し、
炉内から排出される排ガス中に含まれる成分濃度、及び前記排ガスの流量を測定するとともに、
前記炉内温度、成分濃度及び流量に基づいて、前記炉内に供給する支燃性流体、燃料流体、及び炭素源の供給量を制御し、前記酸素バーナ・ランスの燃焼を開始又は停止する、溶解・精錬炉の操業方法。
【発明の詳細な説明】
【技術分野】
【０００１】
本発明は、冷鉄源の溶解・精錬炉、及び溶解・精錬炉の操業方法に関する。
【背景技術】
【０００２】
酸素を含む支燃性流体（例えば、酸素、空気、及び酸素富化空気、等）を噴出させつつ、燃料を燃焼させて被加熱物を加熱するバーナは、様々な生産プロセスで用いられている。例えば、電気炉製鋼プロセスでは、鉄屑等の原料を電気炉内で加熱し、溶融させる際に、原料にコールドスポットといわれる低温部位が生じ、この低温部分において原料が溶融しにくくなる事がある。そこで、バーナを使用することによって、原料の加熱効率を高め、原料溶融のための電力使用量を低減し、溶融コストを削減することが出来る。
【０００３】
また、支燃性流体によって原料の一部を酸化、溶融させ、切断を促し、原料に対する加熱効率をさらに高める事が出来ることが知られている。さらには、支燃性流体の供給によって、未燃焼流体（一酸化炭素等）の燃焼を促進する事が出来ることが知られている。
【０００４】
このように、電気炉の操業においては、電気炉内の原料冷鉄源の溶解状況、および未燃焼流体の発生量に応じて、支燃性流体の吹込み量を最適化する事で、吹き込む支燃性流体の消費量を削減し、且つ原料の過酸化抑制（歩留まり向上）が要望されている。
【０００５】
例えば、特許文献１には、支燃性流体による二次燃焼時の加熱効率を高めるために、予め高温に予熱した酸素ガスの利用方法が開示されている。また、特許文献２には、酸素バーナ・ランスを用いて、効率よく冷鉄源を溶解する方法が開示されている。
【先行技術文献】
【特許文献】
【０００６】
【特許文献１】特開２０００−３３７７７６号公報
【特許文献２】特許第４０５０１９５号公報
【発明の概要】
【発明が解決しようとする課題】
【０００７】
しかしながら、特許文献１及び特許文献２に開示された電気炉の操業方法では、支燃性流体の電力量や消費電力量の効率を改善して、さらなる効率の向上が望まれているのが実状であった。
【０００８】
本発明は、上記事情に鑑みてなされたものであり、酸素バーナ・ランスを用いた冷鉄源の溶解・精錬炉の操業あるいは精錬の際に、その効率を向上することを課題とする。
【課題を解決するための手段】
【０００９】
かかる課題を解決するため、本発明は以下の構成を有する。
（１）  炉内の冷鉄源に向けて、酸素を含む支燃性流体と燃料流体とを噴出させる酸素バーナ・ランスを備える溶解・精錬炉であって、
炉壁を貫通するように設けられた貫通孔と、
前記貫通孔に設けられた１以上の酸素バーナ・ランスと、
前記炉内の温度を測定する温度計と、
前記貫通孔よりも上方の前記炉壁を貫通するように設けられ、前記炉内に二次燃焼用の酸素を含む支燃性流体を供給するための１以上の支燃性流体供給孔と、
前記貫通孔よりも下方の前記炉壁を貫通するように設けられ、前記炉内に炭素源を供給するための１以上の炭素源供給孔と、
前記温度計と電気的に接続され、前記酸素バーナ・ランスへの支燃性流体及び燃料流体の供給量を制御する制御ユニットと、を備え、
前記酸素バーナ・ランスが、炉内に連通する開口を有する、支燃性流体又は燃料流体の供給管を１以上有し、
前記供給管のいずれか一つに、前記温度計が設けられた、溶解・精錬炉。
（２）  前記酸素バーナ・ランスが、前記供給管の基端側に測定視野を確保するための隔壁を有しており、
前記温度計が、前記隔壁を挟んで前記開口と反対側に設けられている、請求項１に記載の溶解・製錬炉。
（３）  前記炉内から排ガスを排出するために設けられた排ガス排出経路と、
前記排ガス排出経路に設けられ、前記排ガス中に含まれる成分の濃度及び前記排ガスの流量のいずれか一方又は両方を測定する排ガス分析装置と、を備える、前項１又は２のいずれか一項に記載の溶解・精錬炉。
（４）  前記温度計から炉内温度の測定値と、前記排ガス分析装置から成分濃度及び流量の測定値とを受信し、これらを解析して、前記炉内に供給する支燃性流体、燃料流体及び炭素源の供給量を制御する制御信号を発信する制御装置を備える、前項３に記載の溶解・精錬炉。
（５）  酸素バーナ・ランスを用いて、酸素を含む支燃性流体と燃料流体とを炉内の冷鉄源に向けて噴出させ、前記冷鉄源を溶解・精錬する炉の操業方法であって、
酸素バーナ・ランスを介して炉内温度を測定するとともに、
前記炉内温度の測定値に基づいて、前記炉内に供給する支燃性流体及び燃料流体の供給量を制御し、前記酸素バーナ・ランスの燃焼を開始又は停止する、溶解・精錬炉の操業方法。
（６）  酸素バーナ・ランスを用いて、酸素を含む支燃性流体と燃料流体とを炉内の冷鉄源に向けて噴出させ、前記冷鉄源を溶解・精錬する炉の操業方法であって、
酸素バーナ・ランスを介して炉内温度を測定し、
炉内から排出される排ガス中に含まれる成分濃度、及び前記排ガスの流量を測定するとともに、
前記炉内温度、成分濃度及び流量に基づいて、前記炉内に供給する支燃性流体、燃料流体、及び炭素源の供給量を制御し、前記酸素バーナ・ランスの燃焼を開始又は停止する、溶解・精錬炉の操業方法。
【発明の効果】
【００１０】
本発明の溶解・精錬炉及びその操業方法は、酸素バーナ・ランスを用いた冷鉄源の溶解・精錬炉の操業あるいは精錬の際に、その効率を向上することができる。
【図面の簡単な説明】
【００１１】
【図１】本発明を適用した一実施形態である溶解・精錬炉の構成を示す系統図である。
【図２】本発明を適用した一実施形態である溶解・精錬炉の炉壁付近を拡大した断面図である。
【図３】本発明を適用した一実施形態である溶解・精錬炉の炉壁付近を拡大した平面図である。
【図４】本発明を適用した一実施形態である溶解・精錬炉に適用可能な酸素バーナ・ランスの構成を示す断面模式図である。
【図５】本発明を適用した一実施形態である溶解・精錬炉の支燃性流体供給孔５Ａが設けられた炉壁２Ａ付近を拡大した断面図である。
【図６】本発明を適用した一実施形態である溶解・精錬炉の支燃性流体供給孔５Ａが設けられた炉壁２Ａ付近を拡大した平面図である。
【図７】本発明を適用した他の実施形態である溶解・精錬炉の炉壁付近を拡大した平面図である。
【発明を実施するための形態】
【００１２】
以下、本発明を適用した一実施形態である溶解・精錬炉について、その操業方法とともに図面を用いて詳細に説明する。なお、以下の説明で用いる図面は、特徴をわかりやすくするために、便宜上特徴となる部分を拡大して示している場合があり、各構成要素の寸法比率などが実際と同じであるとは限らない。
【００１３】
先ず、本発明を適用した一実施形態である溶解・精錬炉の構成の一例について説明する。
図１は、本発明を適用した一実施形態である溶解・精錬炉２を含む、運転システム１の構成を示す系統図である。図１に示すように、運転システム１は、本実施形態の溶解・精錬炉２と、上記溶解・精錬炉２から排出される排ガスの分析ユニット（後述する）と、上記溶解・精錬炉２への各種供給量の制御ユニット（後述する）と、上記分析ユニット及び上記制御ユニットと電気的に接続されたコントロールユニット（制御装置）１４と、を備えて、概略構成されている。
【００１４】
図２は、本実施形態の溶解・精錬炉２の炉壁２Ａ付近を拡大した断面図である。また、図３は、本実施形態の溶解・精錬炉２の炉壁２Ａ付近を拡大した平面図である。
図２及び図３に示すように、本実施形態の溶解・精錬炉２は、電極３によって炉内の冷鉄源を溶解・精錬する電気炉である。また、溶解・精錬炉（以下、単に「電気炉」ともいう）２には、貫通孔４Ａ、支燃性流体供給孔５Ａ、及び炭素源供給孔６Ａが炉壁２Ａを貫通するように設けられている。また、貫通孔４Ａには、酸素バーナ・ランス４が挿入されている。
【００１５】
図４は、本実施形態の溶解・精錬炉２に適用可能な酸素バーナ・ランス４の構成を示す断面模式図である。図４に示すように、本実施形態における酸素バーナ・ランス４の中央には、酸素を含む支燃性流体を供給する支燃性流体供給管１８が設けられており、その外周には、同心円状に、燃料流体を供給する燃料流体供給管１９、支燃性流体供給管２０が設けられ、さらに、その外周に還流式水冷ジャケット２１が設けられている。
【００１６】
なお、支燃性流体供給管２０を設けず、燃料流体供給管１９の外周に還流式水冷ジャケット２１を設けても良いが、支燃性流体供給管２０を設けた場合には、支燃性流体供給管１８と２０の酸素流量比を調整することにより、火炎長の調整が可能となる。
【００１７】
支燃性流体供給管１８は、基端側１８Ａから先端側１８Ｂにかけて、一定の内径を有する太径部１８ａと、太径部１８ａよりも内径が小さいスロート部１８ｂと、スロート部１８ｂから先端側１８Ｂに向けて内径が徐々に大きくなる広がり部１８ｃと、ほぼ一定の内径を有する直動部１８ｄを有する。
【００１８】
また、支燃性流体供給管１８の基端側１８Ａには、電気炉２内の冷鉄源の温度を把握するために、放射温度計２２が取り付けられている。放射温度計２２は、冷鉄源が溶け落ちた際の温度を測定する必要があるため、６００℃〜２０００℃程度の温度域が測定できるものを取り付けることが望ましい。このような放射温度計としては、具体的には、例えば、株式会社チノー製、「ＩＲ−ＳＡ」等が挙げられる。
【００１９】
放射温度計２２を支燃性流体供給管１８に設置するに際しては、この支燃性流体供給管１８に供給する支燃性ガスの漏えいを防ぎつつ、測定視野を確保するために、耐圧ガラス等による隔壁２３を基端側１８Ａに設ける事が望ましい。また、酸素バーナ・ランス４を設置する環境は高温になりやすいため、放射温度計２２を、空冷あるいは水冷のジャケットにて保護することが好ましい。
【００２０】
また、酸素バーナ・ランス４は、図１に示すように、酸素バーナ・ランス４への燃料流体及び支燃性流体の供給量を制御する制御ユニット１５と接続されている。また、酸素バーナ・ランス４に設けられた放射温度計２２は、制御ユニット１５と電気的に接続されている。さらに、制御ユニット１５は、コントロールユニット１４と電気的に接続されている。したがって、放射温度計２２は、制御ユニット１５を介してコントロールユニット１４と電気的に接続されており、炉内温度の測定値の記録をコントロールユニット１４に送信可能とされている。一方、コントロールユニット１４は、制御ユニット１５に対して、制御信号を送信可能とされている。
【００２１】
図２及び図３に示すように、酸素バーナ・ランス４が挿入された貫通孔４Ａよりも上方の炉壁２Ａには、電気炉２内に二次燃焼用の酸素を含む支燃性流体を供給するための１以上の支燃性流体供給孔５Ａが設けられている。また、この支燃性流体供給孔５Ａには、支燃性ガス供給用のランス５が挿入されている。
【００２２】
図５は、本実施形態の支燃性流体供給孔５Ａが設けられた炉壁２Ａ付近を拡大した断面図である。また、図６は、本実施形態の支燃性流体供給孔５Ａが設けられた炉壁２Ａ付近を拡大した平面図である。
図５に示すように、支燃性流体供給孔５Ａの形状は、炉壁２Ａを断面視した際に、炉壁２Ａの外周側から内周側に向かって角度αで拡径するように設けられることが好ましい。これにより、ランス５は、上下方向に支燃性流体の吹き出し方向を自在に変更することが可能となる。また、図６に示すように、支燃性流体供給孔５Ａの形状は、炉壁２Ａを炉内から平面視した際に、上下方向のクリアランスよりも左右方向のクリアランスが大きな形状（例えば、レーストラック状）に設けられることが好ましい。これにより、ランス５は、左右方向に支燃性流体の吹き出し方向を自在に変更することが可能となる。
【００２３】
また、ランス５は、酸素を含む支燃性流体を供給する支燃性流体供給管（図示せず）の外周に、還流式水冷ジャケット２４が設けられている。これにより、電気炉２の炉壁２Ａに適当な開口（貫通孔）を有していれば、耐火物壁、水冷壁何れにおいても自在に設置が可能である。
【００２４】
また、ランス５の吹き出し方向も、自在に変更が可能であるため、電気炉２内の排ガスの流れに応じて、二次燃焼の効果が最大限発揮できる方向に吹き出し方向を合わせる事が可能である。
【００２５】
また、ランス５は、図１に示すように、ランス５への支燃性流体の供給量を制御する支燃性流体制御ユニット１６と接続されている。さらに、支燃性流体制御ユニット１６は、コントロールユニット１４と電気的に接続されている。一方、コントロールユニット１４は、支燃性流体制御ユニット１６に対して、制御信号を送信可能とされている。
【００２６】
図２及び図３に示すように、酸素バーナ・ランス４が挿入された貫通孔４Ａよりも下方の炉壁２Ａには、電気炉２内に炭素源等を吹き込む（供給する）ための１以上の炭素源供給孔６Ａが設けられている。また、炭素源供給孔６Ａには、炭素源供給用のランス６が挿入されている。この炭素源供給孔６Ａを介して、搬送用のガス（窒素、空気、酸素富化空気、酸素等）によって搬送された炭素源が電気炉２内に供給される。これにより、溶鋼中で吹き込まれた炭素源と溶鋼に含まれる過剰酸素が反応し、ＣＯガスを発生してスラグを泡立たせ、いわゆるスラグフォーミング状態を作り出す。これにより、スラグが電気炉２のアークをサブマージ状態とするため、アークのエネルギー効率を向上させることが可能となる。
【００２７】
また、ランス６は、図１に示すように、ランス６への炭素源の供給量を制御する炭素源制御ユニット１７と接続されている。さらに、炭素源制御ユニット１７は、コントロールユニット１４と電気的に接続されている。一方、コントロールユニット１４は、炭素源制御ユニット１７に対して、制御信号を送信可能とされている。
【００２８】
図１に示すように、電気炉２中から排ガスを排出するための排ガス排出経路７には、排ガス分析装置１１と排ガス流量測定装置１２が設けられている。ここで、電気炉２から発生する排ガスには、ダストが多く含まれるため、排ガス分析においては、上記ダストに対する前処理が重要となる。そのため、排ガス分析装置１１の一次側には、排ガス中のダストを除去するフィルターユニット１０、排ガスを吸引するためのサンプリングユニット（図示せず）が設けられている。また、排ガス分析装置１１及び排ガス流量測定装置１２は、コントロールユニット１４と電気的に接続されており、分析結果（成分分析結果、流量値）の記録をコントロールユニット１４に送信可能とされている。
【００２９】
排ガス排出経路７には、排ガスサンプリングのためのプローブが設けられている。このプローブは、具体的には、ＣＯ，ＣＯ２，Ｈ２，Ｏ２，Ｎ２等の排ガス成分分析のための排ガスサンプリング管８と、排ガス流量を測定するためのピトー管９との２本で構成される。上記２本のプローブは、電気炉２の操業中は、連続的に排ガスを吸引するが、排ガス中のダストによる閉塞を防ぐために、パージユニット１３により定期的にパージされる。また、上記プローブは、高温の排ガス中に挿入されるため、耐熱性の高い合金やセラミックス製で構成されるが、高温酸化による損耗や、熱衝撃による破損等を考慮すると、還流式の水冷ジャケットを有している事が望ましい。
【００３０】
上述したように、本実施形態の運転システム１では、排ガスサンプリング管８、ピトー管９、フィルターユニット１０、排ガス分析装置１１、排ガス流量測定装置１２、及びパージユニット１３によって、分析ユニットが構成されている。また、本実施形態の運転システム１では、制御ユニット１５、支燃性流体制御ユニット１６、及び炭素源制御ユニット１７によって、制御ユニットが構成されている。
【００３１】
次に、本実施形態の溶解・精錬炉（電気炉）２の操業方法（すなわち、運転システム１の運転方法）の一例について説明する。
具体的には、先ず、原料となる冷鉄源が電気炉２内に挿入された場合、電気炉２の炉壁２Ａを貫通するように設けられた酸素バーナ・ランス４の、炉内に開口する支燃性流体供給管１８の基端側１８Ａに設けられた放射温度計２２によって、炉内の温度を間接的に測定する。この場合、炉内温度が「低い」と判断されるため、その信号を酸素バーナ・ランス４の制御ユニット１５に発信し、酸素バーナ・ランス４の運転（燃焼）を開始する。
【００３２】
この時、同時に排ガス測定装置１１により、電気炉２内に発生する排ガスの流量および含まれる未燃焼流体の濃度を測定し、未燃焼流体を燃焼させるのに必要な支燃性ガスを、酸素等の支燃性流体供給孔５Ａから炉内に吹込んで燃焼させる事で、燃焼熱を発生させ、冷鉄源を加熱する。なお、支燃性ガスの流量は、未燃性流体の発生量に相応して制御させる事で、過不足なく炉内に吹き込むことが可能である。
【００３３】
次に、投入した冷鉄源が溶解すると、放射温度計２２によって炉内温度が「高い」と判断されるため、その信号を酸素バーナ・ランス４の制御ユニット１５に発信して、酸素バーナ・ランス４の運転（燃焼）を停止する。
【００３４】
この際、溶鋼中のカーボンを除去するために、酸素バーナ・ランス４から酸素を溶鋼に吹き込んで、脱炭する事も可能である。同時に、炭素源制御ユニット１７に運転信号を発信し、炭素源供給孔６Ａから炉内に炭素源を供給して、スラグフォーミング状態を作り出す事が出来る。
【００３５】
以上説明したように、本実施形態の溶解・精錬炉（電気炉）２及びその操業方法によれば、酸素バーナ・ランス４を用いた冷鉄源の溶解・精錬炉の操業あるいは精錬の際に、その効率を向上することができる。
【００３６】
また、本実施形態の溶解・精錬炉（電気炉）２によれば、酸素バーナ・ランス４を用いて、酸素を含む支燃性流体と燃料流体とを炉内の冷鉄源に向けて噴出させて、この冷鉄源を溶解・精錬する。この酸素バーナ・ランス４は、炉内に連通する開口を有しており、この開口に炉内温度を間接的に測定できる温度計を設けているため、上記開口を通して炉内の冷鉄源の加熱・溶解状況を確認することが出来る。
【００３７】
また、本実施形態の溶解・精錬炉（電気炉）２によれば、貫通孔４Ａの上方の炉壁２Ａに、炉内に二次燃焼用の酸素を含む支燃性流体を吹き込む支燃性流体供給孔５Ａが設けられている。この支燃性流体供給孔５Ａから酸素を炉内に噴出して、冷鉄源の加熱・溶解時に発生する未燃焼流体（ＣＯ，Ｈ２等）を燃焼させ、その熱量によって冷鉄源を加熱することが可能である。
【００３８】
また、本実施形態の溶解・精錬炉（電気炉）２によれば、貫通孔４Ａの下方の炉壁２Ａに、炉内に炭素源を吹き込む炭素源供給孔６Ａが設けられており、精錬期の炭素源投入口として機能させることが可能である。これにより、溶解・精錬の工程において、炉を密閉状態に保つことが可能になるため、冷鉄源の加熱・溶解を効率よく行うことが可能になる。
【００３９】
また、本実施形態の溶解・精錬炉（電気炉）２を含む、運転システム１によれば、酸素バーナ・ランス４が設けられた電気炉２の排ガス排出経路７には、ＣＯ，ＣＯ２，Ｈ２，Ｏ２，Ｎ２の濃度を測定するための排ガス測定装置１１と、ガス流量を測定するための排ガス流量測定装置１２が設けられており、溶解・精錬工程において炉内から発生する未燃焼流体の濃度・流量を把握することが可能である。
【００４０】
また、上記温度計２２によって測定された炉内温度に基づき、炉内の冷鉄源の加熱・溶解状況を観察しながら、上記酸素バーナ・ランス４の燃焼状態（点火、消火及び流量調整）、上記支燃性流体供給孔５Ａから炉内に吹き込む支燃性流体の流量、および炉内への炭素源の供給量を適切に制御する事が可能である。
【００４１】
また、排ガス測定装置１１の測定値に基づき、炉内の未燃焼流体の発生状況（量・濃度）に合わせて、上記酸素バーナ・ランス４、上記支燃性流体供給孔５Ａから炉内に吹き込む支燃性流体の流量、および炉内への炭素源の供給量を適切に制御する事が可能である。
【００４２】
なお、本発明の技術範囲は上記実施の形態に限定されるものではなく、本発明の趣旨を逸脱しない範囲において種々の変更を加えることが可能である。例えば、上述した実施形態の溶解・精錬炉２では、酸素バーナ・ランス４を挿入する貫通孔４Ａの上方に、支燃性流体供給孔５Ａが１つ設けられた構成を一例として説明したが、これに限定されるものではない。例えば、図７に示すように、酸素バーナ・ランス４を挿入する貫通孔４Ａの上方に、支燃性流体供給孔５Ａが２つ設けられた構成としてもよい。
【００４３】
また、上述した実施形態の溶解・精錬炉２では、炉内の温度を測る温度計として放射温度計２２を用いる構成を一例として説明したが、炉内の温度を間接的に測定できるものであれば、これに限定されるものではない。具体的には、例えば、赤外線サーモグラフィ（サーモビューア）、二色温度計等を用いてもよい。
【００４４】
また、上述した実施形態の溶解・精錬炉２では、放射温度計２２を酸素バーナ・ランス４の中央の支燃性流体供給管１８に設置した構成を一例として説明したが、炉壁２Ａに新たに貫通孔を設けることがなく、測定視野を確保できる位置であれば、これに限定されるものではない。具体的には、例えば、燃料流体供給管１９や支燃性流体供給管２０の一部に設ける構成であってもよい。
【符号の説明】
【００４５】
１・・・運転システム
２・・・溶解・精錬炉（電気炉）
２Ａ・・・炉壁
３・・・電極
４・・・酸素バーナ・ランス
４Ａ・・・貫通孔
５、６・・・ランス
５Ａ・・・支燃性流体供給孔
６Ａ・・・炭素源供給孔
７・・・排ガス排出経路
８・・・排ガスサンプリング管
９・・・ピトー管
１０・・・フィルターユニット
１１・・・排ガス分析装置
１２・・・排ガス流量測定装置
１３・・・パージユニット
１４・・・コントロールユニット（制御装置）
１５・・・流量調節ユニット
１６・・・支燃性流体流量制御ユニット
１７・・・炭素源供給ユニット
【図１】
0006427829.tif 000002
【図２】
0006427829.tif 000003
【図３】
0006427829.tif 000004
【図４】
0006427829.tif 000005
【図５】
0006427829.tif 000006
【図６】
0006427829.tif 000007
【図７】
0006427829.tif 000008